(57)【要約】      （修正有）【課題】皮膚に塗った塗り薬を、手や衣服や毛布や布団等の寝具の接触により擦り取られないように保護する、塗り薬の保護用被覆材を提供する。【解決手段】フィルム状支持体２と、皮膚に面する側の端部に塗布された粘着剤３と、粘着剤の表面に貼りつけられた剥離紙とから成塗り薬の保護用被覆材１とすることにより、皮膚に塗った塗り薬を、擦り取られないように保護する。【選択図】図１
2012040337.tif 000002
【特許請求の範囲】
【請求項１】
フィルム状支持体と、前記フィルム状支持体の皮膚に面する側の端部に塗布された粘着剤と、前記粘着剤の表面に貼りつけられた剥離紙とから成ることを特徴とする塗り薬の保護用被覆材。
【請求項２】
前記フィルム状支持体の皮膚に面する側の端部の粘着部に、前記粘着剤が塗布されていない箇所が設けられ、空気の抜け道を有したことを特徴とする請求項１記載の塗り薬の保護用被覆材。
【請求項３】
前記フィルム状支持体が、ドーム形状に形成されていることを特徴とする請求項１又は２記載の塗り薬の保護用被覆材。
【請求項４】
皮膚に面する側の端部に粘着剤が塗布された前記フィルム状支持体を、剥離紙に複数貼りつけて設けられたことを特徴とする請求項１〜３のいずれかに記載の塗り薬の保護用被覆材。
【請求項５】
前記フィルム状支持体の一方の端縁部に、タブが設けられたことを特徴とする請求項１〜４のいずれかに記載の塗り薬の保護用被覆材。
【請求項６】
フィルム状支持体の形状が長方形で、皮膚に面する側の上下の端部に塗布された粘着剤と、前記粘着剤の表面に貼りつけられた剥離紙とから成ることを特徴とする塗り薬の保護用被覆材。
【発明の詳細な説明】
【技術分野】
【０００１】  本発明は、顔面の皮膚に塗った塗り薬が、自らの手や衣服や就寝しているときの毛布や布団などの接触により、擦り取られてしまうことを防ぐ、塗り薬の保護用被覆材に関するものである。
【背景技術】
【０００２】  従来より、ドレッシング等の創傷保護テープは、傷を保護して治療するために、種々のものが開発されて市販されている。例えば、（特許文献１）には、テープ状支持体の片面に薬材を含有するパッドが貼着してあるものが開示されている。【０００３】
【特許文献１】特開２００１−１０４３６７号公報
【発明の概要】
【発明が解決しようとする課題】
【０００４】  このような薬剤を含有するパッドを貼着したテープ状支持体は数多く提案されている。これらの薬剤は、会社により多くの種類の薬剤が採用されているが、切り傷や擦り傷やできものや火傷などによって対応する薬剤が異なるので、それぞれに対応できるようにするには、多くの種類の薬剤の中から切り傷や擦り傷やできものや火傷などに合わせて選び、パッドに含有させてテープ状支持体に貼着させた、数多くの種類のテープ状支持体が必要であった。【０００５】  そこで本発明の課題は、顔のシミを薄くするクリームや色白にするクリームなど、顔に塗ったりする化粧品や医薬部外品や医薬品など、多くの種類の化粧品や薬剤や塗り薬などの持つ効能を保護できるように、例えばニキビなどの吹き出物に、個人の好みの塗り薬を使用することができて、さらに、手や衣服や毛布や布団などの寝具の接触により塗り薬などが擦り取られないように、顔面の吹き出物に塗った塗り薬を保護する、塗り薬の保護用被覆材を提供することを目的とする。
【課題を解決するための手段】
【０００６】  本発明者は、上記の課題を解決するために鋭意研究する中で、前記課題を解消できることを見出して本発明を完成するに至った。【０００７】  請求項１の発明は、フィルム状支持体と、前記フィルム状支持体の皮膚に面する側の端部に塗布された粘着剤と、前記粘着剤の表面に貼りつけられた剥離紙とから成ることを特徴とする塗り薬の保護用被覆材である。【０００８】  請求項２の発明は、前記フィルム状支持体の皮膚に面する側の端部の粘着部に、前記粘着剤が塗布されていない箇所が設けられ、空気の抜け道を有したことを特徴とする請求項１記載の塗り薬の保護用被覆材である。【０００９】  請求項３の発明は、前記フィルム状支持体が、ドーム形状に形成されていることを特徴とする請求項１又は２記載の塗り薬の保護用被覆材である。【００１０】  請求項４の発明は、皮膚に面する側の端部に粘着剤が塗布された前記フィルム状支持体を、剥離紙に複数貼りつけて設けられたことを特徴とする請求項１〜３のいずれかに記載の塗り薬の保護用被覆材である。【００１１】  請求項５の発明は、前記フィルム状支持体の一方の端縁部に、タブが設けられたことを特徴とする請求項１〜４のいずれかに記載の塗り薬の保護用被覆材である。【００１２】  請求項６の発明は、フィルム状支持体の形状が長方形で、皮膚に面する側の上下の端部に塗布された粘着剤と、前記粘着剤の表面に貼りつけられた剥離紙とから成ることを特徴とする塗り薬の保護用被覆材である。【００１３】  また、フィルム状支持体の材質としては、合成樹脂フィルムや合成樹脂フィルムの積層複合体や不織布や紙等で形成されたものを用いることができる。なかでも合成樹脂フィルムが好ましく、特に医療用としてカブレや刺激が少なくて、特に顔の皮膚に優しい合成樹脂フィルムが適宜選択される。【００１４】  また、粘着部の粘着剤は、顔の皮膚に優しければ特に限定されることはない。医療用としてカブレや刺激の少ない粘着剤が適宜選択される。今までに発明されてきた粘着剤のなかでも、特に顔の皮膚に優しい粘着剤を適宜選択することができる。【００１５】  また、フィルム状支持体やタブに施された色については特に限定されないが、無色透明や青色や緑色や黄色やピンク色や赤色や白色や肌色や水色等種々用いることができる。フィルム状支持体とタブと同じ色を施しても良く、フィルム状支持体とタブと別々の色を施しても良い。又、フィルム状支持体にハートや星や花や花びらやキャラクターなどの種々の図形や絵を表示しても良い。又、タブに粘着紙から剥がす方向を示すように矢印を表示しても良い。
【発明の効果】
【００１６】  本発明の塗り薬の保護用被覆材は、顔面に塗る化粧品や医薬部外品や医薬品などの個々の持つ効能を、液体や粉末やクリーム状に限らず保護することができる。例えばニキビ等の吹き出物に個人の好みの塗り薬を塗り、塗った薬の上に塗り薬の保護用被覆材を被せると、そのフィルム状支持体が粘着剤を塗布された粘着部で顔の皮膚に固着されて、塗った薬がフィルム状支持体で保護されるので、手や衣服や毛布や布団等の寝具の接触により顔の吹き出物に塗った塗り薬が擦り取られることが無くなり、その塗り薬の持つ効能を有効に患部に作用させることができる。
【図面の簡単な説明】
【００１７】
【図１】  本発明の第１の実施例に係る、円形のフィルム状支持体に、粘着部が設けられた面の方から見たところの正面図である。
【図２】  本発明の第１の実施例に係る、円形のフィルム状支持体に粘着部が設けられて、その粘着部に剥離紙を貼りつけたところの側面図である。
【図３】  本発明の第２の実施例に係る、円形のフィルム状支持体の粘着部に、空気の抜け道を設けた面の方から見たところの正面図である。
【図４】  本発明の第３の実施例に係る、フィルム状支持体を、ドーム形状に形成したところの側面図である。
【図５】  本発明の第４の実施例に係る、粘着部が設けられたフィルム状支持体を剥離紙に複数貼りつけて設けたところの正面図である。
【図６】  本発明の第４の実施例に係る、図５を下の方から見たところの側面図である。
【図７】  本発明の第５の実施例に係る、フィルム状支持体の一方の端縁部に、タブが設けられたところの側面図である。
【図８】  本発明の第６の実施例に係る、長方形の形状のフィルム状支持体に粘着部が設けられた面の方から見たところの正面図である。
【発明を実施するための形態】
【００１８】  本発明の、実施形態の塗り薬の保護用被覆材１は、フィルム状支持体２とフィルム状支持体２の皮膚に面する側の端部に、塗布された粘着剤から成る粘着部ａ３とを設けて剥離紙ａ４を粘着部ａ３に貼りつけて成ることを特徴とする塗り薬の保護用被覆材１である。次に、本発明の実施形態に係る塗り薬の保護用被覆材１を、図面を参照して説明する。
【００１９】  図１は、本発明に係る実施例１の粘着部ａ３が設けられた面の方から見たところの正面図であり、図２は、本発明に係る全体構成を側面から見たところの実施例１の側面図であり、図３は、実施例２の空気の抜け道７が設けられた面の方から見た正面図であり、図４は、実施例３の側面図であり、図５は、実施例４の粘着部ａ３が設けられたフィルム状支持体２を剥離紙ｂ６に複数設けられたところの正面図であり、図６は、実施例４の全体構成を側面から見た側面図であり、図７は、実施例５の側面図であり、図８は、実施例６の粘着部ｂ９を設けられた面から見たところの正面図である。図中符号１は塗り薬の保護用被覆材であり、２はフィルム状支持体で、３は粘着部ａ、４は剥離紙ａ、５はドーム形状のフィルム状支持体、６は剥離紙ｂ、７は空気の抜け道、８はタブ、９は粘着部ｂをそれぞれ示している。
【実施例１】
【００２０】  まず、本発明の第１の実施形態について、図１と、図２を用いて説明する。本発明の第１の実施形態における塗り薬の保護用被覆材１は、図１と図２に示すようにフィルム状支持体２の、皮膚に面する側の周縁部である端部に、塗布された粘着剤から成る粘着部ａ３を設けて、粘着部ａ３の表面に剥離紙ａ４を貼りつけて成ることを特徴とする塗り薬の保護用被覆材１である。【００２１】  フィルム状支持体２としては、合成樹脂フィルムや合成樹脂フィルムの積層複合体や不織布や紙等で形成されたものを用いることができる。なかでも合成樹脂フィルムが好ましく特に医療用としてカブレや刺激の少ない合成樹脂フィルムが適宜選択される。今までに発明されてきた合成樹脂のなかでも、顔の皮膚に優しい合成樹脂を適宜選択して、合成樹脂フィルムにして使用することができる。これらの合成樹脂は、単独でも複合した組成物として用いても、或いは、別の合成樹脂をブレンドしたりしても良く、さらには二種以上の樹脂を多層化して用いても良い。【００２２】  また、フィルム状支持体２に設けた粘着部ａ３の幅は特に限定されないが、皮膚に貼りつけても簡単に剥がれることがなければ良く、使用者の意思にて剥離する際には皮膚を傷つけることなく剥離できれば良い。フィルム状支持体２の周縁部の端から、０．５ミリメートル〜２０ミリメートルの幅で粘着部ａ３を設けて良いが、１ミリメートル〜２ミリメートルの幅で設けたほうが塗り薬を保護できる範囲を広くとれるので好適である。【００２３】  また、粘着部ａ３の粘着剤は、医療用としてカブレや刺激が少なく、さらに低アレルギー性粘着剤が適宜選択される。今までに発明されてきた粘着剤のなかでも、特に顔の皮膚に優しい粘着剤が好ましい。【００２４】  フィルム状支持体２の形は特に限定されないが、円形、楕円形、四角形、長方形、三角形、台形、ハート形など種々用いることができる。中でも円形、楕円形、四角形、長方形などが顔面に貼るときに使いやすく好ましい。多角形の場合角部にはＲをつけると良い。【００２５】  フィルム状支持体２の大きさは限定されないが、図１に示すように、顔面に貼る大きさとして粘着部ａ３も合わせて直径８ミリメートル〜１００ミリメートルで良いが、１０ミリメートル〜３０ミリメートルの大きさが顔に貼りやすく好ましい。【００２６】  上記のように製造された本発明の塗り薬の保護用被覆材１は、就寝前に顔にできたニキビに好みの塗り薬を塗り、ニキビに塗った塗り薬を覆うように、剥離紙ａ４を剥がしたフィルム状支持体２をその上に被覆させると、粘着部ａ３の粘着剤によりフィルム状支持体２が皮膚に貼りついて固定して完了する。フィルム状支持体２の防御により、就寝している時に手や衣服や毛布や布団等の寝具の接触によって、顔の皮膚に塗った塗り薬が擦り取られることがなくなり、塗り薬の持つ効能を余すことなく発揮させることができるという極めて優れた効果を発揮する。
【実施例２】
【００２７】  次に本発明の異なる実施の形態について説明する。図３における本発明の第２の実施の形態について、前記本発明の第１の実施の形態と異なる点は、フィルム状支持体２の皮膚に面する側の端部に、粘着剤が塗布されていない箇所である空気の抜け道７が設けられ、顔面に貼りつけられたフィルム状支持体２が圧迫されても、フィルム状支持体２の中の空気が押されて、空気の抜け道７から抜け出るので、顔面の皮膚に貼りつけたフィルム状支持体２が圧迫されると、皮膚にさらに貼りつき剥がれ難くなるので皮膚に塗った塗り薬を保護することができ、前期本発明の第１の実施の形態と同様の作用効果が得られるのである。空気の抜け道７は一箇所に設けても複数の箇所に設けても良い。【００２８】  また、顔の皮膚にフィルム状支持体２を貼りつけるときに、粘着部ａ３に設けられた空気の抜け道７により、フィルム状支持体２の中に余分な空気を貯めることなく、空気を排出しながら貼りつけることができるので、フィルム状支持体２が空気で膨れることなく、しわが寄ったりすることもなく、円滑に貼りつけることができる。
【実施例３】
【００２９】  また、図４における本発明の第３の実施の形態について、前記本発明の第１の実施の形態と異なる点は、フィルム状支持体２がドーム形状に形成されたドーム形状のフィルム状支持体５なので、フィルム状支持体２の塗り薬を収容する容量が大きくなり、塗り薬がフィルム状支持体２の中に納まり易くなり、塗り薬が粘着部ａ３を侵してフィルム状支持体２の貼りつきを弱めることがなくなり、さらに塗り薬を多めに患部に塗ることができて、その塗り薬の持つ効能を、塗り薬を多めにした分さらに発揮させることができ、前期本発明の第１の実施の形態と同様の作用効果が得られるのである。
【実施例４】
【００３０】  また、本発明の第４の実施の形態について、図５、と図６を用いて説明する。本発明の第４の実施形態における塗り薬の保護用被覆材１は、図５と図６に示すように皮膚に面する側の端部に粘着剤が塗布された複数のフィルム状支持体２を、剥離紙ｂ６に貼りつけて設けられたことを特徴とする。【００３１】  塗り薬の保護用被覆材１は、薄くて小さい製品であるので一つ一つバラバラにして所持していると紛失しやすく、一つ一つの小さい剥離紙ａ４でも良いが、剥離紙ｂ６のように大きくして所持したほうが紛失し難くて良い。フィルム状支持体２を複数２枚〜５０枚を剥離紙ｂ６に設けても良いが、８枚〜１２枚の枚数を剥離紙ｂ６に貼りつけて設けた方が所持しやすくて好ましい。
【実施例５】
【００３２】  また、本発明の第５の実施の形態について、図７を用いて説明する。本発明の第５の実施形態における塗り薬の保護用被覆材１は、フィルム状支持体２の一方の端縁部にタブ８を設けて、剥離紙ａ４と剥離紙ｂ６からフィルム状支持体２を剥がすのに、タブ８を持って剥がせば剥離しやすくなるように設けられていることを特徴とする。
【実施例６】
【００３３】  また、本発明の第６の実施の形態について、図８を用いて説明する。フィルム状支持体２を四角形や長方形に形成して、皮膚に面する側の上部の端部と下部の端部に塗布された粘着剤から成る粘着部ｂ９を設けて、粘着剤の表面に剥離紙ａ４を貼りつけて成ることを特徴とする塗り薬の保護用被覆材１であり、幅広い患部に使用しやすくなり塗り薬を保護することができ前期本発明の第１の実施の形態と同様の作用効果が得られるのである。【００３４】  また、長方形のフィルム状支持体２と粘着部ｂ９と剥離紙ａ４とを、共に横へ１メートル〜５０メートル伸ばして、ロール状の芯に巻いてロール状にしても良いが、５メートル〜３０メートル伸ばしてロール状の芯に巻いたほうが用いやすくてより好ましい。皮膚炎や皮膚病の大きさに合わせて所望の大きさに切断して使用することができるために経済的である。足にできる乾癬などの皮膚病は幅広く広がって発症するので、縦幅の大きさは限定されることがなく１センチメートル〜４０センチメートルの縦幅でも良いが、１．５センチメートル〜２０センチメートルの縦幅の方が使用しやすくて好ましい。【００３５】  また、フィルム状支持体２やタブ８に施された色については特に限定されないが、透明であっても不透明や着色透明であっても良く、青色や緑色や黄色やピンク色や赤色や白色や肌色や水色等種々用いることができる。必要に応じて濃淡を調整したものが好ましい。フィルム状支持体２とタブ８と同じ色を施しても良く、フィルム状支持体２とタブ８と別々の色を施しても良い。【００３６】  また、フィルム状支持体２にハートや星や月や太陽やバラの花や桜の花や百合の花やチューリップの花等種々の花や、桜の花びら等種々の花の花びらやキャラクターなどの種々の図形や絵を表示しても良い。又、タブ８に剥離紙ａ４と剥離紙ｂ６から剥がす方向を示すように矢印を表示しても良い。【００３７】  以上、本発明の実施形態について説明したが、本発明はこうした実施例に何ら限定されるものではなく、本発明の要旨を逸脱しない範囲において、種々なる形態で実施し得ることは勿論である。
【符号の説明】
【００３８】  １  塗り薬の保護用被覆材
２  フィルム状支持体
３  粘着部ａ
４  剥離紙ａ
５  ドーム形状のフィルム状支持体
６  剥離紙ｂ
７  空気の抜け道
８  タブ
９  粘着部ｂ
【図１】
2012040337.tif 000003
【図２】
2012040337.tif 000004
【図３】
2012040337.tif 000005
【図４】
2012040337.tif 000006
【図５】
2012040337.tif 000007
【図６】
2012040337.tif 000008
【図７】
2012040337.tif 000009
【図８】
2012040337.tif 000010